(57)【要約】      （修正有）【課題】夜間だけでなく、昼間や薄暮にも明確かつ確実に視認できるようにした安全ベストを提供する。【解決手段】生地を裁断縫製したベストの前見頃と後見頃に帯状の再帰反射シートを貼り付けてなる安全ベストにおいて、ベスト１０表面側の前見頃と後見頃には反射光による夜間視認性に優れた帯状の第１の再帰反射シート１２が貼り付けられる一方、ベスト裏面側の前見頃と後見頃には色彩による昼間視認性に優れた帯状の第２の再帰反射シート１３が貼り付けられ、ベストの左右の前見頃がスライドファスナー１１によって締着可能に設けられることによりベストが表側及び裏側の両方を使用できるようになっている。【選択図】図３
0003154941.tif 000002
【実用新案登録請求の範囲】
【請求項１】
生地を裁断縫製したベストの前見頃と後見頃に帯状の再帰反射シートを貼り付けてなる安全ベストにおいて、
上記ベスト(10)表面側の前見頃と後見頃には反射光による夜間視認性に優れた帯状の第１の再帰反射シート(12)が貼り付けられる一方、上記ベスト(10)裏面側の前見頃と後見頃には色彩による昼間視認性に優れた帯状の第２の再帰反射シート(13)が貼り付けられ、
上記ベスト(10)の左右の前見頃がスライドファスナー(11)によって締着可能に設けられることにより上記ベスト(10)が表側及び裏側の両方を使用できるようになっていることを特徴とする安全ベスト。
【請求項２】
上記第１、第２の再帰反射シート(12,13) が白色、黄色及び赤色の群から選択され相互に異なる色彩である請求項１記載の安全ベスト。
【請求項３】
上記第１の再帰反射シート(12)が白色であり、上記第２の再帰反射シート(13)が黄色又は赤色である請求項２記載の安全ベスト。
【請求項４】
上記第１、第２の再帰反射シート(12,13) がベスト(10)の前見頃及び後見頃の相互に重なり合う位置に貼り付けられている請求項１記載の安全ベスト。
【請求項５】
上記ベストの生地が布地又はメッシュ地である請求項１記載の安全ベスト。
【考案の詳細な説明】
【技術分野】
【０００１】
この考案は安全ベストに関し、特に交通誘導員や交通警備員、あるいは警察官が着用するベストに関する。
【背景技術】
【０００２】
例えば、道路工事現場では多数の交通警備員や交通誘導員（以下、単に交通誘導員という）が警備や交通の誘導に従事しており、又交通事故現場や交通取締現場では多数の警察官が活動している。かかる交通誘導員や警察官は夜間において車両の運転者に明瞭かつ確実に視認される必要があることから、安全ベストを着用することが求められている。
【０００３】
従来、この種の安全ベストでは布地やメッシュ地などの基材を用いてベストを縫製し、胸部と背中に帯状の再帰反射シートを縫製又は溶着によって貼り付け、夜間に車両のヘッドライトの光を受けて反射することにより、交通誘導員や警察官の存在を認識できるようにしていた（特許文献１）。
【０００４】
また、胸部と背中で色の異なる再帰反射シートを貼り付けせることによって交通誘導員や警察官がどの方向を向いているのかを迅速に分かるようにした安全ベストも提案されている（特許文献２）。
【先行技術文献】
【特許文献】
【０００５】
【特許文献１】特開２０００−３２８３２４号公報
【特許文献２】特開２００２−１２９４１２号公報
【考案の開示】
【考案が解決しようとする課題】
【０００６】
しかし、光の反射効率のみによって再帰反射シートを選択すると、昼間や薄暮には車両のヘッドライトからの光が照射されないので、再帰反射シートが視認され難いという問題があった。
【０００７】
本考案はかかる問題点に鑑み、夜間だけでなく、昼間や薄暮にも明確かつ確実に視認できるようにした安全ベストを提供することを課題とする。
【課題を解決するための手段】
【０００８】
そこで、本考案に係る安全ベストは、生地を裁断縫製したベストの前見頃と後見頃に帯状の再帰反射シートを貼り付けてなる安全ベストにおいて、上記ベスト表面側の前見頃と後見頃には反射光による夜間視認性に優れた帯状の第１の再帰反射シートが貼り付けられる一方、上記ベスト裏面側の前見頃と後見頃には色彩による昼間視認性に優れた帯状の第２の再帰反射シートが貼り付けられ、上記ベストの左右の前見頃がスライドファスナーによって締着可能に設けられることにより上記ベストが表側及び裏側の両方を使用できるようになっていることを特徴とする。
【０００９】
本考案の特徴の１つは安全ベストを表裏使用可能（リバーシブル）に構成し、前見頃と後見頃の表側に反射光による夜間視認性に優れた第１の再帰反射シートを貼り付け、裏側に色彩による昼間視認性に優れた第２の再帰反射シートを貼り付けた点にある。
【００１０】
これにより、夜間にはベストを表側にして着用することにより、第１の再帰反射シートが車両のヘッドライトの光を受けて反射するので、人間の存在を確実に認識することができる一方、昼間や薄暮には第２の再帰反射シートがその色彩によって視認しやすいので、交通誘導員、交通警備員、警察官等の存在を明確かつ確実に認識できる。
【００１１】
また、本考案の他の特徴はベストをリバーシブルに構成するようにした点にある。これにより、一着のベストで夜間と昼間の二通りの使用ができ、便利である。
【００１２】
ここで、第１の再帰反射シートは白色、黄色、赤色の順序で反射光による視認性が高い。また、第２の再帰反射シートは黄色、赤色、白色の順序で色彩による視認性が高い。したがって、第１の再帰反射シートを白色とし、第２の再帰反射シートを黄色又は赤色とするのがよい。
【００１３】
また、第１、第２の再帰反射シートはベストの前見頃及び後見頃の相互に重なり合う位置に貼り付けるのが好ましい。
【００１４】
また、ベストの生地は特に限定されず、例えば合成樹脂製の糸や天然素材製の糸を用いた布地や合成樹脂製や天然素材製のメッシュ地を採用することができる。
【図面の簡単な説明】
【００１５】
【図１】本考案に係る安全ベストの好ましい実施形態を示す正面図である。
【図２】上記実施形態を示す背面図である。
【図３】上記実施形態における表側と裏側の関係を示す図である。
【考案を実施するための形態】
【００１６】
以下、本考案を図面に示す具体例に基づいて詳細に説明する。図１ないし図３は本考案に係る安全ベストの好ましい実施形態を示す。図において、ベスト１０は合成樹脂材料製の例えば黒色のメッシュ地を基材として前見頃と後見頃を展開したシート状に裁断されている。
【００１７】
また、後見頃の胴部両側には例えば幅７０ｍｍの締付けベルト１６が設けられ、締付けベルト１６の端部裏側両縁及び前見頃の胴部表面には面ファスナーが縫合等によって固着され、締付けベルト１６を着用する人の腹部の大きさに応じた位置で面ファスナーを相互に締着することによって前見頃と後見頃の胴部を相互に結合できるようになっている。
【００１８】
また、前見頃と後見頃の間には襟首１７が形成され、締付けベルト１６で結合したときに前見頃と後見頃の間は袖口１４となっている。さらに、前見頃及び後見頃の周縁と襟首１７の周縁は縁布で覆われて縫製されている。
【００１９】
ベスト１０の前見頃には例えば幅７０ｍｍの帯状の白色の第１の再帰反射シート１２が両肩部から胴部中央にかけて斜めに延びるとともに胴部の締付けベルト１６の位置に横方向に延びて配置され、縫合糸によって縫合されて貼り付けられている。
【００２０】
ベスト１０の後見頃には例えば幅７０ｍｍの帯状の白色の第１の再帰反射シート１２が両肩部から胴部中央にかけて斜めに延びるとともに胴部の締付けベルト１６の位置に横方向に延びさらに肩甲骨の高さに横方向に延びて配置され、縫合糸によって縫合されて貼り付けられている。
【００２１】
ベスト１０の裏側の前見頃及び後見頃には黄色の第２の再帰反射シート１３が表側の第１の再帰反射シート１２と重なり合うように配置されて縫合糸によって第１の再帰反射シート１２と一緒に縫合されている。
【００２２】
また、ベスト１０の左右の前見頃の対向する縁にはスライドファスナー１１が取付けられ、左右の前見頃を締着できるようになっており、これによってベスト１０は表裏を使用できる、つまりリバーシブルに使用できるようになっている。
【００２３】
例えば、夜間には白色の第１の再帰反射シート１２が表になるようにベスト１０を着用する。すると、第１の再帰反射シート１２が車両ヘッドライトの光を受けて反射するので、車両の運転者は人間、例えば交通誘導員、交通警備員、警察官等の存在を確認することができる。
【００２４】
特に、白色の再帰反射シート１２は他の色彩の再帰反射シートに比して反射効率が高く、人間の存在を明確かつ確実に視認できるので、夜間の安全性を保証できる。
【００２５】
昼間や薄暮には黄色の第２の再帰反射シート１３が表になるようにベスト１０を着用する。黄色の再帰反射シート１３は太陽光の下では他の色彩のシート、例えば白色よりも人間の目につきやすく、人間の存在を視覚によって明確に確認できるので、昼間や薄暮における安全性を保証できる。
【００２６】
なお、第１の再帰反射シートの色彩は白色に限定されず、黄色や赤色を採用することができる。また、第２の再帰反射シートの色彩は黄色に限定されず、赤色や白色を採用できるが、再帰反射シートと異なる色彩とするのが重要である。
【００２７】
また、上記の例では前見頃と後見頃の胴部を締付けベルトで脱着可能に締着するようにしたが、前見頃と後見頃の胴部を縫合等によって一体化したタイプであってもよい。
【符号の説明】
【００２８】
１０      ベスト
１１      スライドファスナー
１２      第１の再帰反射シート
１３      第２の再帰反射シート
【図１】
0003154941.tif 000003
【図２】
0003154941.tif 000004
【図３】
0003154941.tif 000005